(57)【要約】【課題】撮影におけるフリッカーの発生回避のメリットを洩れなく活かすことを可能にする撮影装置を提供すること。【解決手段】被写体の光学像を画像信号として撮像する撮像手段（４１１２）と、前記撮像手段を用いたフリッカー検出手段（５２０６）と、前記フリッカーの影響を低減する（フリッカーレス）撮影手段（Ｓ１０４）を備えた撮影装置において、ブラケッティング撮影及びマルチショット撮影時は、撮影時における前記フリッカーレス撮影手段の動作に関する設定に関わらず、フリッカーレス撮影をすることを特徴とする。【選択図】図１
2016086208.tif 000002
【特許請求の範囲】
【請求項１】
被写体の光学像を画像信号として撮像する撮像手段（４１１２）と、
前記撮像手段を用いたフリッカー検出手段（５２０６）と、
前記フリッカーの影響を低減する（フリッカーレス）撮影手段（Ｓ１０４）を備えた撮影装置において、
ブラケッティング撮影及びマルチショット撮影時は、撮影時における前記フリッカーレス撮影手段の動作に関する設定に関わらず、フリッカーレス撮影をすることを特徴とする撮影装置。
【請求項２】
前記ブラケット撮影で変化させる項目とは、露出、ピント、ストロボ発光量であり、前記マルチショット撮影とは、ノイズの低減、ダイナミックレンジの拡大を目的とした複数枚撮影であることを特徴とする請求項１に記載の撮影装置。
【請求項３】
前記ピントを変化させてのブラケット撮影とは、記録画像の撮影と、ＡＦ調整の為の画像の撮影であることを特徴とする請求項２に記載の撮影装置。
【請求項４】
前記撮影時におけるフリッカーレス撮影手段の動作に関する設定が、フリッカーレス撮影をしない設定にも関わらずフリッカーレス撮影をする場合、警告表示をすることを特徴とする請求項１に記載の撮影装置。
【請求項５】
被写体の光学像を画像信号として撮像する撮像装置における制御方法であって、
前記画像信号を用いたフリッカー検出工程（Ｓ１０１）と、
前記フリッカーの影響を低減する（フリッカーレス）撮影工程（Ｓ１０４）を備えた撮影装置の制御方法において、
ブラケット撮影及びマルチショット撮影時は、撮影時における前記フリッカーレス撮影工程に関する設定に関わらず、フリッカーレス撮影をすることを特徴とする撮影装置の制御方法。
【発明の詳細な説明】
【技術分野】
【０００１】
本発明は、撮影装置に関し、特にデジタルカメラ等における複数枚続けて撮影するブラケッティング撮影機能と環境光源によるフリッカーの影響を排除する（フリッカーレス）機能に関する。
【背景技術】
【０００２】
従来、ＡＥＢ（Ａｕｔｏ  Ｅｘｐｏｓｕｒｅ  Ｂｒａｃｋｅｔｉｎｇ：オートエクスポージャーブラケッティング）に代表される様な、１つの要件を変化させながら複数枚続けて撮影する機能は、特に一眼レフカメラ等に標準搭載されてきた。これには、露出を変化させる前記ＡＥＢ、ピントを変化させるＡＦＢ（Ａｕｔｏ  Ｆｏｃｕｓ  Ｂｒａｃｋｅｔｉｎｇ：オートフォーカスブラケッティング）、ストロボの発光量を変化させるＦＥＢ（Ｆｌａｓｈ  Ｅｘｐｏｓｕｒｅ  Ｂｒａｃｋｅｔｉｎｇ：フラッシュエクスポージャーブラケッティング）などがあり、総じてブラケッティング撮影と呼ばれている。
【０００３】
一方、蛍光灯に代表される光源を短時間で点滅発光させる照明下の撮影で、特に高速でシャッターを切る場合に、撮影画像の明るさがちらついてしまうフリッカーと呼ばれる現象がある。これに対し、近年、光源の点滅よる明暗状況を観測し、その影響を排除する技術も開示されている。
【０００４】
特許文献１では、光源の発光周期と位相を測定し、撮影するフレーム内でもっとも光量が大きくなる時期を推定し、推定した時期で露光すべく、電子シャッターとメカニカルシャッターを同期させる内容が開示されている。
【先行技術文献】
【特許文献】
【０００５】
【特許文献１】特開２００４−１９３９２２号公報
【発明の概要】
【発明が解決しようとする課題】
【０００６】
上述の特許文献１に開示された従来技術は、撮影動作におけるフリッカーの発生回避であるが、これに伴いデメリットも存在する。即ち、フリッカーの発生を回避するために、露光動作をもっとも光量が大きくなると推定した時期にすると、撮影者の意図した時期に露光（撮影）出来ない事である。
【０００７】
従って、フリッカーの発生回避か、シャッターチャンスを逃さず撮影するかの選択は、撮影者が自らの意志で決定出来る事が望ましく、撮影装置でフリッカーの発生回避動作を「する（ＯＮ）」「しない（ＯＦＦ）」で選択可能な事は必須である。しかし、フリッカーの発生回避を積極的に行った方が結果として撮影者のメリットになる場合も存在する。例えば、いつ撮影するかより、フリッカーの発生回避の方が重要だと判断される場合である。
【０００８】
そこで、本発明の目的は、フリッカーの発生回避のメリットを洩れなく活かすことを可能にする撮影装置を提供することにある。
【課題を解決するための手段】
【０００９】
上記の目的を達成するために、本発明は、被写体の光学像を画像信号として撮像する撮像手段と、前記撮像手段を用いたフリッカー検出手段と、前記フリッカーの影響を低減する（フリッカーレス）撮影手段を備えた撮影装置において、ブラケッティング撮影及びマルチショット撮影時は、撮影時における前記フリッカーレス撮影手段の動作に関する設定に関わらず、フリッカーレス撮影をすることを特徴とする。
【発明の効果】
【００１０】
本発明によれば、フリッカーの発生回避のメリットを洩れなく活かすことを可能にする撮影装置の提供を実現できる。
【図面の簡単な説明】
【００１１】
【図１】本発明の一実施形態に係わるフローチャートである。
【図２】本発明の一実施形態に係わるオートフォーカスブラケッティング撮影動作の説明図である。
【図３】本発明の一実施形態に係わるフリッカーの発生とその回避方法の説明図である。
【図４】本発明の一実施形態に係わる一眼レフデジタルカメラの構成を示すブロック図である。
【図５】本発明の一実施例に係わる一眼レフデジタルカメラおよび撮影レンズおよびストロボ装置の光学配置の概略図である。
【図６】本発明の一実施形態に係わるフローチャートである。
【発明を実施するための形態】
【００１２】
以下に、本発明の好ましい実施の形態を、添付の図面に基づいて詳細に説明する。図４は本発明の実施形態に関わる一眼レフデジタルカメラの構成を示すブロック図である。
【００１３】
４１０１は撮影レンズである。４１０２はＡＦ（オートフォーカス）駆動部である。ＡＦ駆動部４１０２は、例えばＤＣモータやステッピングモータによって構成され、マイクロコンピュータ４１２３の制御によって撮影レンズ４１０１のフォーカスレンズ位置を変化させることによりピントを合わせる。
【００１４】
４１０３はズーム駆動部である。ズーム駆動部４１０３は、例えばＤＣモータやステッピングモータによって構成され、マイクロコンピュータ４１２３の制御によって撮影レンズ４１０１の変倍レンズ位置を変化させることにより撮影レンズ４１０１の焦点距離を変化させる。４１０４は絞りである。
【００１５】
４１０５は絞り駆動部である。絞り駆動部４１０５は、絞り４１０４を駆動する。駆動されるべき量はマイクロコンピュータ４１２３によって算出され、光学的な絞り値を変化させる。
【００１６】
４１０６は撮影レンズ４１０１から入射した光束をファインダ側と撮像素子側とに切替えるための主ミラーである。主ミラー４１０６は常時はファインダ部へと光束を導くよう反射させるように配されているが、撮影が行われる場合には、撮像素子４１１２へと光束を導くように上方に跳ね上がり光束中から待避する。また主ミラー４１０６はその中央部が光の一部を透過できるようにハーフミラーとなっており、光束の一部は焦点検出を行うためのセンサに入射するように透過させる。
【００１７】
４１０７は主ミラー４１０６から透過してきた光束を反射させ焦点検出を行うためのセンサ（焦点検出回路４１０９内に配置されている）に導くためのサブミラーである。４１０８はファインダを構成するペンタプリズムである。ファインダは他にピント板、アイピースレンズ（いずれも不図示）などによって構成させる。更に、測光センサ（不図示）もファインダ４１０８の一部分から光束を得ている。
【００１８】
４１０９は焦点検出回路である。ミラー４１０６の中央部を透過し、サブミラー４１０７で反射された光束は、焦点検出回路４１０９の内部に配置された光電変換を行うためのセンサに至る。フォーカス演算に用いるデフォーカス量は、センサの出力を演算することによって求められる。マイクロコンピュータ４１２３は演算結果を評価してＡＦ駆動部４１０２に指示し、フォーカスレンズを駆動させる。
【００１９】
４１１０はフォーカルプレーンシャッターである。４１１１はシャッター駆動回路であり、フォーカルプレーンシャッター４１１０を駆動する。シャッターの開口時間はマイクロコンピュータ４１２３によって、制御される。
【００２０】
４１１２は撮像素子である。撮像素子４１１２には、ＣＣＤやＣＭＯＳセンサなどが用いられ、撮影レンズ４１０１によって結像された被写体像を電気信号に変換する。４１１３はクランプ回路である。４１１４はＡＧＣ回路である。クランプ回路４１１３やＡＧＣ回路４１１４は、Ａ／Ｄ変換をする前の基本的なアナログ信号処理を行い、マイクロコンピュータ４１２３により、クランプレベルやＡＧＣ基準レベルの変更が行われる。
【００２１】
４１１５はＡ／Ｄ変換器である。Ａ／Ｄ変換器４１１５は撮像素子４１１２のアナログ出力信号をデジタル信号に変換する。４１１６は映像信号処理回路であり、ゲートアレイなどのロジックデバイスにより実現される。４１１７はＴＦＴ駆動回路である。４１１８はＴＦＴ（液晶）モニタである。４１１９はメモリコントローラである。４１２０はメモリである。４１２１はコンピュータ等と接続可能な外部インターフェイスである。４１２２はバッファメモリである。
【００２２】
映像信号処理回路４１１６は、デジタル化された画像データに、フィルター処理、色変換処理、ガンマ処理を行うと共に、ＪＰＥＧなどの圧縮処理を行い、メモリコントローラ４１１９に出力する。映像信号処理回路４１１６は、撮像素子４１１２からの映像信号や、メモリコントローラ４１１９から逆に入力される画像データを、ＴＦＴ駆動回路４１１７を通してＴＦＴ（液晶）モニタ４１１８に出力することも可能である。これらの機能切り替えはマイクロコンピュータ４１２３の指示により行われる。
【００２３】
映像信号処理回路４１１６は、必要に応じて撮像素子４１１２の信号の露出情報やホワイトバランスなどの情報をマイクロコンピュータ４１２３に出力することが可能である。それらの情報を基にマイクロコンピュータ４１２３はホワイトバランスやゲイン調整の指示を行う。連続撮影動作の場合においては、一旦、未処理画像のままバッファメモリ４１２２に撮影データを格納し、メモリコントローラ４１１９を通して未処理の画像データを読み出し、映像信号処理回路４１１６にて画像処理や圧縮処理を行い連続撮影を行う。連像撮影枚数は、バッファメモリの大きさに左右される。
【００２４】
メモリコントローラ４１１９では、映像信号処理回路４１１６から入力された未処理のデジタル画像データをバッファメモリに格納し、処理済みのデジタル画像データをメモリ４１２０に格納する。また、逆にバッファメモリ４１２２やメモリ４１２０から画像データを映像信号処理回路部４１１６に出力する。メモリ４１２０は取り外し可能である場合もある。メモリコントローラ４１１９は、コンピュータ等と接続可能な外部インターフェイス４１２１を介してメモリ４１２０に記憶されている画像を出力可能である。
【００２５】
４１２３はマイクロコンピュータである。４１２４は操作部材である。操作部材４１２４は、マイクロコンピュータ４１２３にその状態を伝え、マイクロコンピュータ４１２３はその操作部材の変化に応じて各部をコントロールする。
【００２６】
４１２５はスイッチ１（以後ＳＷ１）である。４１２６はスイッチ２（以後ＳＷ２）である。ＳＷ１とＳＷ２は、レリーズボタンの操作でオンオフするスイッチであり、それぞれ操作部材４１２４の入力スイッチのうちの１つである。ＳＷ１のみオンの状態はレリーズボタン半押し状態であり、この状態でオートフォーカス動作や測光動作を行う。ＳＷ１，ＳＷ２が共にオンの状態はレリーズボタンの全押し状態であり、画像を記録するためのレリーズボタンオン状態である。この状態で撮影が行われる。
【００２７】
またＳＷ１，ＳＷ２がＯＮし続けている間は、連続撮影動作が行われる。操作部材４１２４には、他に、ＩＳＯ設定ボタン、画像サイズ設定ボタン、画質設定ボタン、情報表示ボタンなど不図示のスイッチが接続されており、スイッチの状態が検出されている。
【００２８】
４１２７は液晶駆動回路である。４１２８は外部液晶表示部材である。４１２９はファインダ内液晶表示部材である。液晶駆動回路４１２７は、マイクロコンピュータ４１２３の表示内容命令に従って、外部液晶表示部材４１２８やファインダ内液晶表示部材４１２９を駆動する。また、ファインダ内液晶表示部材４１２９には、不図示のＬＥＤなどのバックライトが配置されており、そのＬＥＤも液晶駆動回路４１２７で駆動される。
【００２９】
マイクロコンピュータ４１２３は撮影前に設定されているＩＳＯ感度、画像サイズ、画質に応じた、画像サイズの予測値データをもとに、メモリコントローラ４１１９を通して、メモリの容量を確認した上で撮影可能残数を演算することができる。必要に応じて外部液晶表示部材４１２８、ファインダ内液晶表示部材４１２９にも表示することができる。フリッカーの発生やフリッカーレス撮影の実施に関する警告表示もここで行う。
【００３０】
４１３０は不揮発性メモリ（ＥＥＰＲＯＭ）で、カメラに電源が入れられていない状態でも、データを保存することができる。４１３１は電源部である。電源部４１３１は各ＩＣや駆動系に必要な電源を供給する。
【００３１】
図５は本発明の一実施例に係わる一眼レフデジタルカメラおよび撮影レンズおよびストロボ装置の光学配置の概略図である。５２００はカメラ本体である。５３００は撮影レンズ本体である。５４００はストロボ装置である。まずカメラ本体５２００の構成について説明する。カメラ本体５２００内には光学部品、機械部品、電気回路およびＣＣＤ等の撮像素子などが収納され、写真又は画像撮影が行えるようになっている。
【００３２】
図５において、５２０１（図４では４１０６）は主ミラーであり、ファインダ観察状態では、撮影光路内に斜設され、撮影状態では撮影光路外に退避する。主ミラー５２０１はハーフミラーとなっており、撮影光路内に斜設されているときは、後述する焦点検出光学系に被写体からの光線の約半分を透過させる。
【００３３】
５２０２はファインダ光学系の一部を構成し撮像レンズ５３００の予定結像面に配置されたピント板である。５２０３（図４では４１０８）はファインダ光路変更用のペンタプリズムである。５２０４は接眼レンズであり、撮影者はこの接眼レンズ５２０４の後方にある窓からピント板５２０２を観察することで撮影画面を観察することができる。
【００３４】
５２０５は結像レンズである。５２０６はファインダ観察画面内の被写体輝度を測定するための測光センサである。結像レンズ５２０５は、ペンタプリズム５２０４内の反射光路を介してピント板５２０２と測光センサ５２０６とを共役に関係付けている。撮影環境におけるフリッカー発生の有無は測光センサでの測定結果で判断する。
【００３５】
５２０７（図４では４１１０）はフォーカルプレーンシャッターである。５２０８（図４では４１１２）は撮像センサであり、ＣＣＤやＣＭＯＳセンサ等の撮像素子が用いられる。撮像素子５２０８は撮像レンズ５３００の予定結像面に配置される。５２０９（図４では４１０７）はサブミラーであり、主ミラー５２０１と同様に、ファインダ観察状態では撮影光路内に斜設され、撮影状態では撮影光路外に退避する。このサブミラー５２０９は、斜設された主ミラー５２０１を透過した光線を下方に折り曲げて、後述の焦点検出ユニット５２１０の方に導く。
【００３６】
５２１０（図４では４１０９）は焦点検出用のセンサを備えた焦点検出ユニットであり、焦点検出ユニット５２１０は、位相差検出方式によって撮像レンズ５３００の焦点調節状態を検出し、その検出結果は撮像レンズの焦点調節機構を制御するカメラ用のマイクロコンピュータに送られる。
【００３７】
次に、撮像レンズ５３００の構成について説明する。図５において、５３０１は群を成すレンズのうちの１群レンズであって、１群レンズ５３０１は光軸上を前後に移動することで、撮影画面のピント位置を調整するフォーカスレンズである。
【００３８】
５３０２は群を成すレンズのうちの２群レンズであって、２群レンズ５３０２は光軸上を前後に移動することで撮像レンズ５３００の焦点距離を変更し、撮影画面の変倍を行う変倍レンズである。
【００３９】
５３０３は群を成すレンズのうちの３群レンズであって、３群レンズ５３０３は固定レンズである。５３０４（図４では４１０４）は絞りである。５３０５はフォーカスレンズである１群レンズ５３０１を光軸方向に移動させるＡＦ駆動部であり、ＤＣモータやステッピングモータによって構成されＡＦ動作により前後に移動させる。
【００４０】
５３０６は２群レンズ５３０２を光軸方向に移動させるズーム駆動部であり、ＤＣモータやステッピングモータによって構成され変倍レンズ５３０２を前後に移動させる。５３０７は絞り駆動部であり、ＤＣモータやステッピングモータによって構成され、絞り５３０４の開口径を変化させるようにこれを駆動する。５３０８はカメラ本体５２００と撮像レンズ５３００との通信インターフェイスとなるレンズマウント接点群である。
【００４１】
次に、ストロボ装置５４００の構成について説明する。ストロボ装置５４００は、カメラ本体５２００に着脱可能であり、カメラ本体５２００からの信号に従って発光制御を行う。図５において、５４０１はキセノン管であり、電流エネルギーを発光エネルギーに変換する。５４０２はフレネルレンズである。５４０３は反射板である。フレネルレンズ５４０２と反射板５４０３はそれぞれ発光エネルギーを効率良く被写体に向けて集光する役目を持つ。
【００４２】
５４０４はカメラ本体５２００とストロボ装置５４００との通信インターフェイスとなるホットシューに設けられたストロボ接点群である。
【実施例１】
【００４３】
以下、図１及び図３を参照して、本発明の第１の実施例による撮影装置について説明する。図３の（Ａ)は撮影環境におけるフリッカーの発生状況を調べる概念図である。実際には、その環境における光源の発光周期と位相を測定することになる。波形３００は撮影環境における光源の強度変化の一例を表しており、測光センサ４２０６で観測する対象である。３０１〜３１１は測光センサ４２０６でのサンプリング（蓄積動作）タイミングを表している。実際、フリッカーの発生を５０、６０Ｈｚとすると、少なくとも１２０Ｈｚでのサンプリングを１秒間以上行えば、光源の発光周期と位相を特定可能となる。
【００４４】
図３（Ｂ）はフリッカーの発生とその回避方法の説明図である。例えば、３１２と波形３００のピーク付近である３１３では、そのタイミングで撮影を行うと環境光の明るさが倍ほど異なってしまう。よって、３１２が撮影（露光）タイミングであった場合、３１３まで露光を遅らせる事で、フリッカーの発生が回避可能となる。より差が大きく、影響の大きい３１４でも同様であり、３１５まで露光を遅らせる事で、フリッカーの発生が回避できる。但し、その代償として、撮影タイミングをより大きくずらす必要がある。従って、撮影タイミング、即ち、シャッターチャンスがより重要とされる撮影モードでは、フリッカーの発生回避は撮影者の意思であるカメラの設定を尊重する必要がある。
【００４５】
図１は撮影する環境でフリッカーの発生が検出された場合、撮影モードにより、撮影者が設定したフリッカーレス撮影に関する設定に関わらず、フリッカーレス撮影する制御フローの説明図である。
【００４６】
ステップＳ１００から、今回の撮影でフリッカーに対応するか否かの判断を始める。ステップＳ１０１でＡＥ（ＡｕｔｏＥｘｐｏｓｕｒｅ、測光）の結果からフリッカー発生を検知する。続くステップＳ１０２にて、ステップＳ１０１でのフリッカーの発生検知結果により分岐判断を行う。フリッカーの発生が検知された場合、ステップＳ１０３に移行し、撮影モードを判断する。これにより、撮影者が設定したフリッカーレス撮影に関する設定を反映するか否かが決まる。
【００４７】
今回の撮影がブラケット撮影、あるいはマルチショット撮影である場合、撮影者が設定したフリッカーレス撮影に関する設定に関わらずフリッカーレス撮影したほうが良いとの判断により、Ｓ１０３からステップＳ１０４に移行し、フリッカーレスで撮影を行う。
【００４８】
即ち、図３（Ｂ）において、撮影（露光）タイミングが３１２や３１４となる場合、それぞれ、環境光の明るさがピークとなる３１３や３１５まで撮影（露光）タイミングをずらす制御を行う。これには、図３（Ａ）に示した様にその環境における光源の発光周期と位相を測定した結果を用い、環境光の明るさがピークとなる３１３や３１５を推定して実施する。結果、撮影タイミングはずれるが、フリッカーレスで良い撮影画像が得られる。
【００４９】
また、今回の撮影がブラケット撮影、あるいはマルチショット撮影でない場合、Ｓ１０３からステップＳ１０５に移行し、撮影者が設定したフリッカーレス撮影に関する設定に従う判断を実施する。撮影者の設定がフリッカーレス撮影をする、であった場合、Ｓ１０５からステップＳ１０４に移行し、フリッカーレスで撮影を行う。
【００５０】
一方、ステップＳ１０２にてステップＳ１０１でのフリッカーの発生検知結果によりフリッカーの発生が検知されなかった場合、あるいは、ステップＳ１０５に於いて、撮影者の設定がフリッカーレス撮影をしない、であった場合、いずれもステップＳ１０６に移行し、フリッカーレス非対応で撮影を行う。つまり、図３（Ｂ）において、撮影（露光）タイミングが３１２や３１４となる場合においても、そのまま撮影を実施する。結果、撮影者の意図したタイミングでの撮影（露光）動作が実施される。
【実施例２】
【００５１】
以下、図２を参照して、本発明の第２の実施例による撮影装置について説明する。図２は前述したオートフォーカスブラケッティング撮影動作の説明図である。上下方向の矢印２０１〜２１０は撮影レンズの駆動方向と駆動量を示している。図中の破線２００は合焦位置を示しており、そこから一方向（至近側あるいは無限側）に所定量動かし、そこを起点として、より細かい所定量ずつレンズを駆動させる。本実施例では、２０２〜２１０の都合９回としている。
【００５２】
また、２０１は至近側に２０１〜２１０の５倍の駆動量としている。よって、２０２〜２０６の駆動後、もとの合焦位置２００に戻るというのが理想的となる。結果、最初の合焦位置２００に対し、至近側、無限側の両方に同じ駆動量（２０３から２０６、２０７から２１０）を割り振った形である。なお、２０１はレンズの駆動方向が反転するので、メカ的なガタ取りという意味を持つ。
【００５３】
また、２０１の駆動量はレンズの合焦幅を基準として決めるのが通常であり、２、３倍が目安となる。大き過ぎるとピントの変化が粗すぎる事になり、小さいとピントの変化が細かすぎて、後で画像を選び、１つに絞る事が困難となる。図中の２１１〜２１９はそれぞれ撮影動作をする位置を表している。即ち、最初の合焦位置２００に対し、至近側、無限側の両方に同じレンズ駆動（２０３から２０６、２０７から２１０）が行われたそれぞれの位置で撮影を行い、後から最もピントの合った画像を選ぶ次第である。本実施例では、上記それぞれの位置での撮影がブラケット撮影であるので、図１に於いて、ステップＳ１０３からステップＳ１０４に移行し、フリッカーレスでの撮影を行う。
【００５４】
なお、フォーカスブラケット動作の目的として、単に最もピントの合った画像を得るために複数枚撮影した画像から選ぶ場合と、ＡＦのずれ分を補正するために、複数枚撮影した画像から最もピントの合った画像を選ぶ場合がある。いずれであっても、ブラケッティング撮影に変わりはないので、フリッカーの発生回避は行う。
【００５５】
他のブラケッティング撮影として、ストロボ装置５４００の発光量を変化させるフラッシュエクスポージャーブラケッティングも同様である。
【００５６】
一方、マルチショット撮影の例としては、撮影画像のダイナミックレンジをより広げるための複数枚撮影動作がある。通常は高速と低速のシャッター秒時（露光時間が短いと長い）の組み合わせとなる。これもフリッカーの発生回避を積極的に行った方が結果として撮影者のメリットになるので、フリッカーの発生回避は行う。
【実施例３】
【００５７】
図６は撮影する環境でフリッカーの発生が検出された場合、撮影者が設定したフリッカーレス撮影に関する設定に関わらずフリッカーレス撮影する場合は、警告表示をする制御フローの説明図である。図１で説明したフローと似ているが、判断の順番が一部異なる。
【００５８】
ステップＳ６００から、今回の撮影でフリッカーに対応するか否かの判断を始める。ステップＳ６０１でＡＥ（ＡｕｔｏＥｘｐｏｓｕｒｅ、測光）の結果からフリッカー発生を検知する。
【００５９】
続くステップＳ６０２にて、ステップＳ６０１でのフリッカーの発生検知結果により分岐判断を行う。フリッカーの発生が検知された場合、ステップＳ６０３に移行し、撮影者が設定したフリッカーレス撮影に関する設定を確認する。撮影者の設定がフリッカーレス撮影をする、であった場合、Ｓ６０３からステップＳ６０４に移行し、フリッカーレスで撮影を行う。この場合は撮影者の設定に従っている為、警告表示の必要はない。
【００６０】
一方、ステップＳ６０３に於いて、撮影者の設定がフリッカーレス撮影をしない、であった場合、Ｓ６０５に移行し、今回の撮影モードを判断する。今回の撮影がブラケット撮影、あるいはマルチショット撮影である場合、撮影者が設定したフリッカーレス撮影に関する設定に関わらずフリッカーレス撮影したほうが良いと判断し、続くＳ６０６で撮影者に対し警告表示をする。実際には、マイクロコンピュータ４１２３により、液晶駆動回路４１２７を経由して、ファインダ内液晶表示部材４１２９と外部液晶表示部材４１２８にフリッカーレス撮影を実施する警告表示を行う。結果、警告表示を行った上で、ステップＳ６０４に移行し、フリッカーレスで撮影を行う。
【００６１】
また、今回の撮影がブラケット撮影、あるいはマルチショット撮影でない場合はＳ６０５からステップＳ６０７に移行する。つまり、ステップＳ６０２にてステップＳ６０１でのフリッカーの発生検知結果によりフリッカーの発生が検知されなかった場合と同様にフリッカーレス非対応で撮影を行う。これにより、撮影者の設定と異なる場合のみ、警告表示を行った上で撮影動作を行う事になる。
【００６２】
以上、本発明の好ましい実施形態について説明したが、本発明はこれらの実施形態に限定されず、その要旨の範囲内で種々の変形及び変更が可能である。
【符号の説明】
【００６３】
４１０１  撮影レンズ、４１０２  ＡＦ駆動部、４１０３  ズーム駆動部、
４１０４  絞り、４１０５  絞り駆動部、４１０６  主ミラー、４１０７  サブミラー、
４１０８  ペンタプリズム、４１０９  焦点検出回路、４１１０  シャッター、
４１１１  シャッター駆動回路、４１１２  撮像素子、４１１３  クランプ回路、
４１１４  ＡＧＣ回路、４１１５  Ａ／Ｄ変換器、４１１６  映像信号処理回路、
４１１７  ＴＦＴ駆動回路、４１１８  ＴＦＴモニタ、４１１９  メモリコントローラ、
４１２０  メモリ、４１２１  外部インターフェイス、４１２２  バッファメモリ、
４１２３  マイクロコンピュータ、４１２４  操作部材、４１２５  スイッチ１、４１２６  スイッチ２、４１２７  液晶駆動回路、４１２８  外部液晶表示、
４１２９  ファインダ内液晶表示、４１３０  不揮発性メモリ、４１３１  電源部、
５２００  カメラ本体、５２０１  主ミラー、５２０２  ピント板、
５２０３  ペンタプリズム、５２０４  接眼レンズ、５２０５  結像レンズ、
５２０６  測光センサ、５２０７  フォーカルプレーンシャッター、
５２０８  撮像素子、５２０９  サブミラー、５２１０  焦点検出ユニット、
５３００  撮影レンズ、５３０４  絞り、５３０５  ＡＦ駆動部、
５３０６  ズーム駆動部、５３０７  絞り駆動部、５３０８  レンズマウント接点群、
５４００  ストロボ装置
【図２】
2016086208.tif 000003
【図１】
2016086208.tif 000004
【図３】
2016086208.tif 000005
【図４】
2016086208.tif 000006
【図５】
2016086208.tif 000007
【図６】
2016086208.tif 000008